(57)【要約】【課題】冷却性能を向上させるとともに、ペットの死後の使い道まで考慮されたペット用冷却板を、新規に提供する。【解決手段】設置面に置かれ、飾り対象物Ｐ２，Ｐ３を載せることができる台座板２と、台座板２の端面２ｂから上方に延び、飾り対象物Ｐ２，Ｐ３の背景として機能する背景板３とから、冷却板兼用のペット用飾り台１Ｂを構成する。そして、台座板２と背景板３の材質を石製とし、台座板２の板厚寸法と背景板３の板厚寸法とを同一にし、台座板２と背景板３とを分離可能に組み付ける。そして、背景板３を、台座板２から分離させて設置面に台座板２と並べて置いた場合に、台座板２および背景板３は、ペットが寝転がる面を形成して冷却板として機能するペット用冷却板１Ａとして利用可能にする。【選択図】        図２
2005341884.tif 000002
【特許請求の範囲】
【請求項１】
設置面に置かれ、飾り対象物を載せることができる台座板と、
前記台座板の端面から上方に延び、前記飾り対象物の背景として機能する背景板とから構成され、
前記台座板と前記背景板の材質は石製であり、
前記台座板の板厚寸法と前記背景板の板厚寸法とは同一であり、
前記台座板と前記背景板とは分離可能に組み付けられており、
前記背景板を、前記台座板から分離させて前記設置面に前記台座板と並べて置いた場合に、前記台座板および前記背景板は、ペットが寝転がる面を形成して冷却板として機能し得るようになっていることを特徴とする冷却板兼用のペット用飾り台。
【請求項２】
Ｌ字金具を備え、
前記Ｌ字金具の一方の辺は前記背景板の背面に接着され、
前記Ｌ字金具の他方の辺は前記台座板と前記設置面との間に狭持されていることを特徴とする請求項１に記載の冷却板兼用のペット用飾り台。
【請求項３】
設置面に置かれてペットが寝転がる面を形成する熱伝導板から構成され、
前記熱伝導板は、材質を石製とし、かつ、第１分割板および第２分割板の２つに分割されており、
前記第２分割板を、前記第１分割板の端面から上方に延びるように配置して前記第１分割板に組み付けた場合に、前記第１分割板および前記第２分割板は、前記第２分割板を背景として飾り対象物を前記第１分割板に載せる飾り台として機能し得るようになっていることを特徴とする飾り台兼用のペット用冷却板。
【発明の詳細な説明】
【技術分野】
【０００１】
本発明は、猫、犬その他のペットを心地よく冷却するペット用冷却板に関するものである。
【背景技術】
【０００２】
従来、特許文献１に記載の如く、熱伝導板の上に寝転がるペットの熱が熱伝導板に伝熱されることで、ペットを心地よく冷却するように機能するペット用冷却板が知られている。このペット用冷却板は、例えば日陰となる場所に設置することで、熱伝導板の温度がペットの体温より低くなるようにして使用するものである。なお、特許文献１では冷却板に陶磁器質タイルを採用している。
【０００３】
【特許文献１】実用新案登録第３０９５６５７号公報
【発明の開示】
【発明が解決しようとする課題】
【０００４】
しかしながら、特許文献１のペット用冷却板では、熱伝導板に陶磁器質タイルを採用しており、この陶磁器質タイルは内部に空気を多く含む材質であるため、熱伝導性を十分に確保することができず、ひいては、冷却性能が十分でないといった問題を有していた。
【０００５】
また、特許文献１のペット用冷却板は、ペットが亡くなった後の使い道まで考えられたものではなかった。しかも、生前のペットが愛用していた冷却板を廃棄するには忍びないといった飼い主の心情から、ペットの死後、使うことのない冷却板の保管場所に苦慮することとなる。
【０００６】
本発明は、上記点に鑑み、冷却性能を向上させるとともに、ペットの死後の使い道まで考慮されたペット用冷却板を、新規に提供することを目的とする。
【課題を解決するための手段】
【０００７】
上記目的を達成するため、請求項１に記載の発明は、
設置面に置かれ、飾り対象物を載せることができる台座板と、
前記台座板の端面から上方に延び、前記飾り対象物の背景として機能する背景板とから構成され、
前記台座板と前記背景板の材質は石製であり、
前記台座板の板厚寸法と前記背景板の板厚寸法とは同一であり、
前記台座板と前記背景板とは分離可能に組み付けられており、
前記背景板を、前記台座板から分離させて前記設置面に前記台座板と並べて置いた場合に、前記台座板および前記背景板は、ペットが寝転がる面を形成して冷却板として機能し得るようになっていることを特徴とする冷却板兼用のペット用飾り台である。
【０００８】
請求項２に記載の発明は、
Ｌ字金具を備え、
前記Ｌ字金具の一方の辺は前記背景板の背面に接着され、
前記Ｌ字金具の他方の辺は前記台座板と前記設置面との間に狭持されていることを特徴とする請求項１に記載の冷却板兼用のペット用飾り台である。
【０００９】
請求項３に記載の発明は、
設置面に置かれてペットが寝転がる面を形成する熱伝導板から構成され、
前記熱伝導板は、材質を石製とし、かつ、第１分割板および第２分割板の２つに分割されており、
前記第２分割板を、前記第１分割板の端面から上方に延びるように配置して前記第１分割板に組み付けた場合に、前記第１分割板および前記第２分割板は、前記第２分割板を背景として飾り対象物を前記第１分割板に載せる飾り台として機能し得るようになっていることを特徴とする飾り台兼用のペット用冷却板である。
【００１０】
ここで、請求項１乃至３に係る「飾り対象物」の一例としては、ペットの遺影およびその遺影が収められた額縁、若しくはペットが使用していた首輪その他の遺品や、ペットとの思い出を想起させる旅行写真等、ペットにまつわる物品が挙げられる。また、ペットにまつわる物品以外にも、オブジェ、花、写真等を飾り対象物としてもよい。
【００１１】
また、請求項１乃至３に係る「飾り台」の使用形態の一例としては、図２に例示されるように、前述した額縁を台座板（第１分割板）に載せて背景板（第２分割板）に立てかけるといった使用形態が挙げられる。なお、請求項１乃至３に係る「背景板（第２分割板）」は、飾り対象物を立てかけることができるものに限定されず、飾り対象物が自立可能な物品である場合には、背景板（第２分割板）は飾り対象物の背景としてのみ機能する。
【００１２】
また、上記請求項１乃至３に記載の発明における「石」とは、日本工業規格／石材（ＪＩＳ Ａ ５００３）にて定義されている「板石」のことであり、厚さが１５ｃｍ未満で、かつ幅が厚さの３倍以上である形状の石である。また、本発明における「石」は、天然石、天然人工石および人工石のいずれかに限定されるものではない。また、本発明では、熱伝導板の材質に大理石等を採用して豪華な見栄えにすることが望ましい。また、熱伝導率が２．０Ｗ／（ｍ・Ｋ）以上、好ましくは２．３Ｗ／（ｍ・Ｋ）以上である石を熱伝導板に採用して、冷却効果を十分に発揮させることが望ましい。
【発明の効果】
【００１３】
請求項１に記載の発明によれば、台座板と背景板とから構成されたペット用飾り台が冷却板を兼用するので、ペットの生前はペットが寝転がる冷却板として機能させ、死後は飾り台として機能させることができ、ペットの生前から死後に亘って使うことができる。しかも、ペットが生前愛用していた冷却板は、死後、遺品としての意味合いを持つため、その遺品をそのまま使用した飾り台は、ペットの面影をより一層偲ぶことができるものとなる。
【００１４】
さらに、台座板と背景板の材質は石製であるため、飾り台としての見栄えを遜色なくできるといった効果に加え、陶磁器質タイルを採用した特許文献１に記載のペット用冷却板に比べて、冷却板としての熱伝導性を十分に確保することができ、冷却性能を向上させるといった効果をも発揮させることができる。特に、飾り対象物をペットの遺品とした場合には、飾り台が祭壇として使用されることとなるので、台座板および背景板を石製とすることに大きな意義がある。
【００１５】
請求項２に記載の発明によれば、台座板と背景板とを分離可能に組み付けることを、簡素な構成で容易に実現できる。
【００１６】
請求項３に記載の発明によれば、熱伝導板から構成されたペット用冷却板が飾り台を兼用するので、ペットの生前はペットが寝転がる冷却板として機能させ、死後は飾り台として機能させることができ、ペットの生前から死後に亘って使うことができる。しかも、ペットが生前愛用していた冷却板は、死後、遺品としての意味合いを持つため、その遺品をそのまま使用した飾り台は、ペットの面影をより一層偲ぶことができるものとなる。
【００１７】
さらに、熱伝導板は石製であるため、飾り台としての見栄えを遜色なくできるといった効果に加え、陶磁器質タイルを採用した特許文献１に記載のペット用冷却板に比べて、冷却板としての熱伝導性を十分に確保することができ、冷却性能を向上させるといった効果をも発揮させることができる。特に、飾り対象物をペットの遺品とした場合には、飾り台が祭壇として使用されることとなるので、第１分割板および第１分割板を石製とすることに大きな意義がある。
【発明を実施するための最良の形態】
【００１８】
以下に、本発明の好適な実施形態について図面を参照して説明する。尚、本発明の実施の形態は、下記の実施形態に何ら限定されるものではなく、本発明の技術的範囲に属する限り種々の形態を採り得ることは無論である。
【００１９】
図１は、本実施形態に係る飾り台兼用のペット用冷却板１Ａを示す斜視図であり、ペット生前においてペット用冷却板１Ａとして使用している状態を示している。このペット用冷却板１Ａは熱伝導板２，３から構成されており、熱伝導板２，３は２枚に分割された第１分割板２および第２分割板３から構成されている。熱伝導板２，３の材質は石製であり、本実施形態の熱伝導板２，３には大理石が採用されている。
【００２０】
また、第１分割板２の板厚寸法とおよび第２分割板３の板厚寸法とは同一であり、図１の如く２枚の板部２，３を敷き並べると、第１分割板２の表面２ａと第２分割板３の表面３ａとは面一の状態となり、これらの表面２ａ，３ａによりペットＰ１が寝転がる面を形成している。
【００２１】
また、熱伝導板２，３は、第１分割板２および第２分割板３の一枚あたりの重量が３〜５ｋｇとなるように分割されている。これにより、熱伝導板２，３を移動させるにあたり、その作業性を良好にできる。具体的には、各分割板２，３の形状は、一辺が約４００ｍｍと約２００ｍｍの長方形であり、厚さが約１５ｍｍである。また、各分割板２，３の上面周縁および下面周縁には面取り加工が施されており、この面取り加工により、各分割板２，３の角部がチッピング等にて破損してしまうことを抑制している。
【００２２】
図２は、本実施形態に係る冷却板兼用のペット用飾り台１Ｂを示す斜視図であり、ペット死後においてペット用飾り台１Ｂとして使用している状態を示している。このペット用飾り台１Ｂは、設置面に置かれた台座板２と、台座板２の端面から上方に延びるように立てられた背景板３とから構成されている。台座板２は第１分割板２をそのまま利用したものであり、背景板３は第２分割板３をそのまま利用したものである。ペットＰ１の遺影Ｐ２が収められた額縁Ｐ３は、台座板２の表面２ａに載せられるとともに、背景板３の表面３ａに立てかけられており、これらの遺影Ｐ２および額縁Ｐ３が特許請求の範囲に記載の飾り対象物となる。
【００２３】
次に、図１の使用状態における熱伝導板２，３を、図２の使用状態におけるペット用飾り台１Ｂとして組み立てる手順を説明する。先ず、隣接配置された２つの分割板２，３を、図３に示すように分離する。また、複数個のＬ字金具４を準備する。
【００２４】
次に、図４に示すように、Ｌ字金具４の一方の辺４ａを第２分割板（背景板）３の裏面３ｂに接着する。そして、第２分割板３を、第１分割板（台座板）２に対して垂直となるように立てる。なお、図４中の符号５は、第２分割板３の裏面３ｂに取り付けられた複数の緩衝材を示しており、本実施形態では緩衝材５にフェルトを採用し、接着剤にて第２分割板３に接着させている。この緩衝材５により、ペット用冷却板１Ａとして使用する際に、熱伝導板２，３が設置面に直接当ることを防止でき、熱伝導板２，３の損傷を抑制できる。なお、この緩衝材５は第１分割板２の背面にも取り付けられている。
【００２５】
次に、図５に示すように、Ｌ字金具４の他方の辺４ｂ（図４参照）の上に第１分割板２をのせる。これにより、Ｌ字金具の他方の辺４ｂは、第１分割板２の裏面および第２分割板３の端面と、設置面との間に狭持されることとなる。以上により、第２分割板３は、第１分割板２の端面２ｂ（図４参照）から上方に延びるように第１分割板２に組み付けられ、第１分割板２が台座板として機能し、第２分割板３が背景板として機能し、全体としてペット用飾り台１Ｂが構成される。
【００２６】
以上により、本実施形態によれば、台座板（第１分割板）２と背景板（第２分割板）３とから構成されたペット用飾り台１Ｂが冷却板１Ａを兼用するので、ペットの生前はペットが寝転がる冷却板１Ａとして機能させ、死後は飾り台１Ｂとして機能させることができ、ペットの生前から死後に亘って使うことができる。しかも、ペットが生前愛用していた冷却板１Ａは、死後、遺品としての意味合いを持つため、その遺品をそのまま使用した飾り台１Ｂは、ペットの面影をより一層偲ぶことができるものとなる。
【００２７】
さらに、台座板２と背景板１の材質は石製であるため、飾り台１Ｂとしての見栄えを遜色なくできるといった効果に加え、冷却板１Ａとしての熱伝導性を十分に確保することができ、冷却性能を向上させるといった効果をも発揮させることができる。しかも、本実施形態では台座板２および背景板３に大理石を採用しているので、冷却板１Ａおよび飾り台１Ｂを豪華な見栄えにすることができる。
【００２８】
（他の実施形態）
上記実施形態では、第１分割板２および第２分割板３の形状を矩形に形成しているが、本発明はこのような形状に限定されるものではなく、例えば、熱伝導板２，３の対角線にて分割し、各分割板２，３の形状を三角形にしてもよい。
【図面の簡単な説明】
【００２９】
【図１】本発明の一実施形態に係る飾り台兼用のペット用冷却板１Ａを示す斜視図である。
【図２】図１の熱伝導板２，３をそのまま利用してなる、冷却板兼用のペット用飾り台１Ｂを示す斜視図である。
【図３】図１のペット用冷却板１Ａの各分割板２，３を分離した状態を示す斜視図である。
【図４】図３の第２分割板３に、Ｌ字金具４の一方の辺４ａを接着した状態を示す斜視図である。
【図５】図４のＬ字金具４の他方の辺４ｂの上に、第１分割板２をのせた状態を示す斜視図である。
【符号の説明】
【００３０】
１Ａ…ペット用冷却板    １Ｂ…ペット用飾り台
２…熱伝導板を構成する第１分割板（台座板）
３…熱伝導板を構成する第２分割板（背景板）
２ａ…第１分割板２の表面（ペットＰ１が寝転がる面）    ２ｂ…第１分割板２の端面
３ａ…第２分割板３の表面（ペットＰ１が寝転がる面）    ３ｂ…第２分割板３の裏面
５…緩衝材
Ｐ１…ペット    Ｐ２…遺影（飾り対象物）    Ｐ３…額縁（飾り対象物）
【図１】
2005341884.tif 000003
【図２】
2005341884.tif 000004
【図３】
2005341884.tif 000005
【図４】
2005341884.tif 000006
【図５】
2005341884.tif 000007